【事件の表示】
　上記当事者間の登録第７８６８８４号商標の登録取消審判事件について、次のとおり審決する。
【結　論】
　登録第７８６８８４号商標の指定商品中、第２５類「洋服，コート，セーター類，ワイシャツ類，寝巻き類，下着，水泳着，水泳帽」については、その登録は取り消す。
　審判費用は、被請求人の負担とする。
【理　由】
１　本件商標
 　本件登録第７８６８８４号商標（以下「本件商標」という。）は、別掲のとおりの構成からなり、昭和４０年６月２５日に登録出願され、第１７類に属する商標登録原簿に記載のとおりの商品を指定商品として、同４３年７月２０日に設定登録され、その後、４回にわたり商標権の存続期間の更新登録がされ、さらに、平成２０年１２月１７日に第５類「失禁用おしめ」、第９類「事故防護用手袋，防じんマスク，防毒マスク，溶接マスク，防火被服」、第１０類「医療用手袋」、第１６類「紙製幼児用おしめ」、第１７類「絶縁手袋」、第２１類「家事用手袋」、第２４類「布製身の回り品」及び第２５類「被服」を指定商品とする書換登録がされているものである。
 
２　請求人の主張
　請求人は、結論同旨の審決を求め、その理由及び答弁に対する弁駁を要旨次のように述べ、証拠方法として、甲第１号証ないし甲第５号証を提出している。
（１）請求の理由
　本件商標の指定商品中、第２５類「洋服，コート，セーター類，ワイシャツ類，寝巻き類，下着，水泳着，水泳帽」については、継続して３年以上、商標権者、専用使用権者又は通常使用権者のいずれによっても使用されていないから、前記商品についての登録は、商標法第５０条第１項の規定により取り消されるべきである。
（２）答弁に対する弁駁
　被請求人が提出した証拠によっては、本件審判の請求の登録前に販売された商品は乙第１号証の「ストール（被請求人が「ボレロ」とするもの）」のみであり、乙第２号証ないし乙第４号証に示された商品については、本件審判請求の登録前に販売された事実が示されていない。
　そして、上記乙第１号証の商品は、「ストール」あるいは「マフラー」と認識されるものであり、本件審判請求にかかる商品ではない。
　さらに、もし乙第１号証に示された商品が本件審判請求にかかる商品であったとしても、使用されている商標は「ｃｌｏｖｅｒ　ｇｒｅｅｎ　ｌａｂｅｌ」であり、本件商標「クロバー／ＣＬＯＶＥＲ」が使用された事実は示されていない。
　
３　被請求人の答弁
　被請求人は、「本件審判請求は成り立たない。審判費用は請求人の負担とする。との審決を求める。」と答弁し、その理由を要旨次のように述べ、証拠方法として、乙第１号証ないし乙第７号証（枝番を含む。）を提出している。
（１）乙第１号証の１ないし４
　乙第１号証の１ないし４は、「Ｃｌｏｖｅｒ」の商標を商品「ボレロ」に使用していることを証明するものであり、この商品は、ボレロ、ストール、ショール、マフラーとして、４とおりの使用ができるものである。
　ア　乙第１号証の１の各写真は、上記商品を「ボレロ」（製品番号Ｎｏ．７４７３７、Ｎｏ．７４７３４）の使用状態及び袖部分の拡大写真である。
　拡大写真の上記２種類の商品の袖部分には、タグ（ラベル）が取り付けられており、乙第１号証の２は、その２種類のタグである。
　上記タグの表面には、「４ＷＡＹ　ＳＴＯＬＥ」及び「ｃｌｏｖｅｒ　ｇｒｅｅｎ　ｌａｂｅｌ」の英語が印刷され、さらに、その下に、緑色で「クロバーの図形」が印刷され、また、裏面には、「ストール＋ボレロ＋ショール＋マフラー」と記載され、その下に、「ボレロの図」→「ショールの図」→「マフラーの図」→「ストールの図」が印刷されている。そして、一方のタグにはＮｏ．７４７３７、他方のタグにはＮｏ．７４７３４と製品番号が表示されている。
　イ　乙第１号証の３は、「ＣＯＭＭＥＲＣＩＡＬ　ＩＮＶＯＩＣＥ」であり、「ＳＨＡＮＧＨＡＩ　ＸＩＺＩＫＡ　ＴＲＡＤＩＮＧ　ＣＯ．，ＬＴＤ．」から、株式会社森本本店（商標権者）に送られたものである。
　上記送り状の日付は、２０１０年８月４日であり、出荷日は２０１０年８月８日と記載されている。この送り状のＳｔｙｌｅ　Ｎｏ．の欄に、「７４７３７」及び「７４７３４」の製品番号が記載され、Ｄｅｓｃｒｉｐｔｉｏｎ　ｏｆ　Ｇｏｏｄｓの欄に「Ｍｕｆｆｌｅｒ」と記載されている。この商品は、上記したように、「ボレロ」としてだけでなくマフラー等として使用できることから、「Ｍｕｆｆｌｅｒ」として記載されているが、乙第１号証の１の写真の商品「ボレロ」のことである。
　よって、上記乙第１号証の１の写真の「ボレロ」が、２０１０年８月８日に「Ｓｈａｎｇｈａｉ　Ｐｏｒｔ」から「Ｎａｇｏｙａ　Ｐｏｒｔ」に向け出荷されたことが明らかである。
　ウ　乙第１号証の４は「証明願」であり、商標権者が登録商標「Ｃｌｏｖｅｒ」を付した商品「４ＷＡＹ　ＳＴＯＬＥ（ボレロ）」を、２０１０年９月２１日から２０１１年２月２０日に、株式会社ユニーに納入販売したことを証明するものである。
（２）乙第２号証の１ないし７
　乙第２号証の１ないし７は、「Ｃｌｏｖｅｒ」の商標を商品「レース衿カーディガン」に使用していることを証明するものである。
　ア　乙第２号証の１は、「レース衿カーディガン」の商品見本（製品番号７４８１５）の全体を写した写真と衿部分の拡大写真であり、衿に「ｃｌｏｖｅｒ　ｇｒｅｅｎ　ｌａｂｅｌ」と織り込まれた織ネームが縫い付けられ、また、縫い付けられた織ネームに、「ｃｌｏｖｅｒ　ｇｒｅｅｎ　ｌａｂｅｌ」の英文字と、「クロバー」の図形が印刷されたタグが取り付けられた状態が写っている。乙第２号証の２は、乙第２号証の１の写真に写っている織ネームであり、乙第２号証の３は、乙第２号証の１の写真に写っているタグである。
　このタグの表面に「四つ葉のクロバー」を意味するフランス語「Ｔｒｅｆｌｅ　ａ　ｑｕａｔｒｅ　ｆｅｕｉｌｌｅｓ」、緑色の「クロバーの図形」、「ｃｌｏｖｅｒ　ｇｒｅｅｎ　ｌａｂｅｌ」の英語等が印刷されている。タグの裏面に「７４８１５」の商品番号が表示されている。
　イ　乙第２号証の４は、上記「レース衿カーディガン」の企画仕様書である。この企画仕様書は、２０１０年８月９日に中国の南通興服飾有限公司宛にされたもので、製品品番の欄に７４８１５と記載され、ブランドの欄に「Ｃｌｏｖｅｒ　Ｇｒｅｅｎ」と記載されている。乙第２号証の５は、上記仕様書の修正についての２０１０年１０月２７日付けメールである。そして、乙第２号証の６は、売り手：南通興服飾有限公司と、買い手：株式会社森本本店との間で、２０１０年１０月２５日に取り交わす契約書を１０月２日にファクシミリで送ったものであり、この契約書の品号の欄に上記「レース衿カーディガン」の製品番号：「７４８１５」が記載されている。
　ウ　乙第２号証の７は、株式会社マルナカの脇町店、栗林南店、徳島店、ＳＣ宇多津店に平成２３年１月２７日に、上記「レース衿カーディガン」を発送し納品したことを証明する納品書（控）のコピーである。
　なお、乙第２号証の７は、本件審判の予告登録後の使用に係るものであるが、乙第２号証の４ないし乙第２号証の６の一連の作業があり、上記日付（平成２３年１月２７日）より前に、販売店に「Ｃｌｏｖｅｒ」の商標を付した商品見本を提示するなどの営業活動を行い、その結果、「レース衿カーディガン」が、販売に至ったことを証明するために提出するものである。
（３）乙第３号証の１及び２
　乙第３号証の１及び２は、「Ｃｌｏｖｅｒ」の商標を商品「花ストール風衿ジレ」に使用していることを証明するものである。
　ア　乙第３号証の１は、「花ストール風衿ジレ」の商品見本（製品番号７４８１１）の全体を写した写真と衿部分の拡大写真であり、衿の部分に「ｃｌｏｖｅｒ　ｇｒｅｅｎ　ｌａｂｅｌ」と織り込まれた衿ネーム（乙第２号証の２の織ネームと同じ。）が縫い付けられ、また、縫い付けられた衿ネームに、タグ（乙第２号証の３のタグと同じ。）が取り付けられた状態が写っている。
　上記タグの表面に「ｃｌｏｖｅｒ　ｇｒｅｅｎ　ｌａｂｅｌ」の英語と「クロバー」の図形が表示されている。また、裏面には、「７４８１１」の製品番号が記載されている。
　イ　乙第３号証の２は、上記乙第３号証の１の「花ストール風衿ジレ」の企画仕様書である。この企画仕様書は、２０１０年８月９日に中国の南通興服飾有限公司宛にされたもので、製品品番の欄に「７４８１１」と、商品名の欄に「花ストール風衿ジレ」、ブランドの欄に「Ｃｌｏｖｅｒ　Ｇｒｅｅｎ」と記載されている。
（４）乙第４号証の１ないし３
　乙第４号証は、「Ｃｌｏｖｅｒ」の商標を商品「カシュクール（ゆるカーデ）」に使用していることを証明するものである。
　ア　乙第４号証の１は、「カシュクール（ゆるカーデ）」の商品見本（製品番号７４８１４）の全体を表した写真と衿部分の拡大写真であり、衿の部分に「ｃｌｏｖｅｒ　ｇｒｅｅｎ　ｌａｂｅｌ」と織り込まれた衿ネーム（乙第２号証の２の織ネームと同じ。）が縫い付けられ、また、縫い付けられた衿ネームに、正方形のタグが取り付けられ、乙第４号証の２は、上記乙第４号証の１の写真に写っているタグである。
　上記タグの表面には、「ｃｌｏｖｅｒ　ｇｒｅｅｎ　ｌａｂｅｌ」の英語と、「クロバー」の図形及び本件商品「カシュクール（ゆるカーデ）」の着用方法が記載されている。また、裏面には、「７４８１４」の製品番号が表示されている。
　イ　乙第４号証の３は、上記「カシュクール」の企画仕様書である。この企画仕様書は、２０１０年８月９日に中国の南通興服飾有限公司宛にされたもので、製品品番の欄に「７４８１４」と、商品名の欄に「カシュクール」、ブランドの欄に「Ｃｌｏｖｅｒ　Ｇｒｅｅｎ」と記載されている。
（５）乙第５号証の１ないし３
　乙第５号証の１ないし３は、乙第２号証の３で提出したタグの製造会社である有限会社ポイントアルファから、商標権者への発注・納品伝票のコピーである。
　乙第５号証の１の発注・納品伝票には、納品年月日：２２年１１月２６日と記入され、品名の欄に「マフラー副材料品質タグ」と記載されているが、「ＵＶジレ、カシュクール、フード付きマフラー等」に使用するタグである。
　乙第５号証の２の発注・納品伝票には、納品年月日：２１年０９月０１日と記入され、品名の欄に「マフラー副材料品質タグ」と記載され、クローバータグ（グリーン）と記入されている。
　乙第５号証の３の発注・納品伝票には、納品年月日：２２年０６月０４日と記入され、品名の欄に「マフラー副材料品質タグ」と記載され、クローバータグ（グリーン）)と記入されている。
（６）乙第６号証の１及び２
　乙第６号証の１は、商標権者が開催した「２０１１＼Ｓｐｒｉｎｇ　＆　Ｓｕｍｍｅｒ　Ｃｏｌｌｅｃｔｉｏｎ」を、商標権者の東京店において、２０１０年１０月５日〜１０月８日、また、一宮本店において、２０１０年１０月１９日〜１０月２２日に開催するにあたり、展示会場の展示商品を写して作成した案内書である。乙第６号証の２は、その案内用の葉書であり、２０１０年１０月以前に作成し配布したものである。
　上記葉書の表面には、「アイテム」として、「ＵＶグッズ・コットンマフラー・ネックウェアー等」と記載され、下端に「クロバー」の図形が印刷されている。「ＵＶグッズ」の中には、上記乙第６号証の１の案内に掲載されているＵＶ対策を施した「ボレロ、レース衿カーディガン、花ストール風衿ジレ、カシュクール」が属する。
（７）乙第７号証
　乙第７号証の商標登録例は、上記乙第１号証ないし乙第４号証において、使用している商標が「ｃｌｏｖｅｒ　ｇｒｅｅｎ　ｌａｂｅｌ」と英文字で表示されているが、「ｃｌｏｖｅｒ」の英文字が、自他商品識別機能を発揮する要部であることを証明するものである。
　このように、「ｇｒｅｅｎ　ｌａｂｅｌ」を表記することは多々行われているところであり、この「ｇｒｅｅｎ　ｌａｂｅｌ」の表記を持って自他商品の識別をすることを目的としては使用されていない。一般に、環境に優しい商品であることをイメージさせるために使用がされているようである。また、本件の場合は、緑色のラベルすなわち「ｇｒｅｅｎ　ｌａｂｅｌ」に、「ｃｌｏｖｅｒ」の英文字を表示して使用することから、「ｃｌｏｖｅｒ　ｇｒｅｅｎ　ｌａｂｅｌ」と表示した意味もある。
　そして、本件の場合は、「ｃｌｏｖｅｒ　ｇｒｅｅｎ　ｌａｂｅｌ」の英文字と、「クロバーの図形」を組み合わせて使用していることから、一般需要者・取引者は「Ｃｌｏｖｅｒ」印と認識できるものと考える。
　したがって、「ｃｌｏｖｅｒ　ｇｒｅｅｎ　ｌａｂｅｌ」の英文字と「クロバーの図形」の両者を組み合わせた表示は、本件商標の使用に該当する。
　
３　当審の判断
（１）事実認定
　ア　ボレロについて（乙１の１ないし４）
　（ア）乙第１号証の１の写真の商品は、同商品に取り付けられたタグの表に「４ＷＡＹ　ＳＴＯＬＥ／着回しがきいておしゃれ」と記載され、その裏側にはボタンを使用しない状態の商品形状を表す図形とともに「ストール＋ボレロ＋ショール＋ぐるぐるマフラー」と記載され、その下にはボレロとして着用した状態を表す図形と「ボレロ」の文字、ショールとして着用した状態を表す図形と「ショール」の文字、マフラーとして着用した状態を表す図形と「ぐるぐるマフラー」の文字及びストールとして着用した状態を表す図形と「ストール」の文字が表されている（乙１の２）ものであり、ボレロ、ストール、ショール、マフラーの４とおりに使用できる商品（以下「使用商品１」という。）と認められるものである。
　（イ）使用商品１に取り付けられたタグの表には、「ｃｌｏｖｅｒ　ｇｒｅｅｎ　ｌａｂｅｌ」の欧文字を手書き風のブロック体で同書同大に表し、これらの文字を挟むようにその前後にアステリスクを配した標章（以下「使用商標」という。）が表されている（乙１の２）。なお、使用商標の下には緑色の四つ葉のクローバー様の図形が配されている。
　（ウ）乙第１号証の３のインボイスによれば、「ＳＨＡＮＧＨＡＩ　ＸＩＺＩＫＡ　ＴＲＡＤＩＮＧ　ＣＯ．，ＬＴＤ．」から商標権者に使用商品１の製品番号と同一の製品番号の商品を２０１０年８月８日に発送したことが認められる。また、乙第１号証の４は、ユニー株式会社作成の平成２３年２月７日付け証明書であり、使用商品１を２０１０年９月２１日と２０１１年２月２０日に商標権者から購入したことを証明するものである。
　イ　カーディガンについて（乙２の１ないし７）
　（ア）乙第２号証の１の写真の商品は、レース衿のカーディガン（以下「使用商品２」という。）であり、その織りネーム及び取り付けられているタグには、いずれも使用商標（ただし、書体は筆記体。）が表されている（乙２の２及び３）。
　（イ）乙第２号証の４は、商標権者が２０１０年８月９日付けで中国の南通興栄服飾有限公司に宛てた本件使用商品の企画仕様書であり、９月２７日をセールスマンサンプル納期として、製造を依頼したものである。また、企画仕様書中には２０１０年９月３日にサンプルチェックを行い、商品仕様の変更・修正や展示会サンプルへの衿ネーム取付けを指示したことが認められる。乙第２号証の５は、商標権者が２０１０年１０月２７日付けで南通興栄服飾有限公司に宛てた企画仕様書の修正を指示する内容のメールである。そしてメールに添付の企画仕様書には、更に同年１０月２６日のサンプルチェック後の商品仕様の修正内容が記載されている。乙第２号証の６は、売主「南通興栄服飾有限公司」と買主「商標権者」との間における２０１０年１１月２５日付け売買契約書であり、その契約中には使用商品２（品号７４８１５）が含まれている。
　乙第２号証の７は、商標権者による株式会社マルナカの脇町店、栗林南店、徳島店及びＳＣ宇多津店宛の各納品書（控）であり、乙第２号証の１の製品番号の「レース衿カーディガン」、乙第３号証の１の製品番号の「花ストール風衿ジレ」などを平成２３年１月２７日に発送し、同年２月１日付けで納品したことが認められる。
　ウ　ジレについて（乙３の１及び２）
　（ア）乙第３号証の１の写真の商品は、花柄模様のストール風衿のあるジレ（以下「使用商品３」という。）であり、その織りネーム及び取り付けられているタグには、乙第２号証２及び３の織りネーム及びタグと同一のものと認められる。
　（イ）乙第３号証の２は、商標権者が２０１０年８月９日付けで中国の南通興栄服飾有限公司に宛てた使用商品３の企画仕様書であり、９月２７日をセールスマンサンプル納期として、製造を依頼したものである。
　乙第２号証の７（納品書）に使用商品３が表示されていることは前記のとおりである。
　エ　カシュクールについて（乙４の１ないし３）
　（ア）乙第４号証の１の写真の商品は、カシュクール（以下「使用商品４」という。）であり、その織りネーム及び取り付けられているタグには、いずれも使用商標（ただし、書体は筆記体。）が表されている（乙４の１及び２）。
　（イ）乙第４号証の３は、商標権者が２０１０年８月９日付けで中国の南通興栄服飾有限公司に宛てた使用商品４の企画仕様書である。また、企画仕様書中には２０１０年９月３日にサンプルチェックを行い、商品仕様の変更・修正や展示会サンプルへの衿ネーム取付けを指示したことが認められる。
　オ　その他（乙５及び乙６（枝番を含む。））
　乙第５号証の１ないし３は、有限会社ポイントアルファから被請求人へのタグの発注・納品伝票であって、本件審判請求に係る指定商品について本件商標の使用を立証するものではない。
　乙第６号証の１及び２は、商標権者が東京店及び一宮本店で２０１０年１０月に開催した「２０１１＼Ｓｐｒｉｎｇ　＆　Ｓｕｍｍｅｒ　Ｃｏｌｌｅｃｔｉｏｎ」の案内書及び案内用ハガキであるが、これらに本件商標は記載されていない。
（２）判断
　ア　使用時期及び使用商品について
　（ア）ボレロについて
  前記（１）アで認定した事実によれば、商標権者は、「ストール、ボレロ、ショール、マフラー」の４とおりの着こなしができる使用商品１を本件審判請求の登録前３年以内である、２０１０年８月に製造元の中国の会社から納品され、本件使用商標を付した使用商品１を２０１０年９月２１日ころに、ユニー株式会社に販売していたと認められる。そして、使用商品１（ボレロ）は、本件審判請求に係る指定商品の範ちゅうの商品と認められるものである。
　この点について、請求人は、使用商品１はそのタグに「４ＷＡＹ　ＳＴＯＬＥ」と記載され、「ストール」と認識されるものであるから、本件審判請求に係る商品ではない旨主張しているが、同タグには、４とおりの使用方法が明示され、ボレロとして使用できるものであるから、使用商品１は、ボレロとしてみて差し支えないと判断する。
　（イ）カーディガン、ジレ及びカシュクールについて
　前記（１）イないしエで認定した事実によれば、商標権者は、本件使用商標を付した使用商品２（カーディガン）、使用商標３（ジレ）、使用商品４（カシュクール）の販売を企画し、上記各商品の企画仕様書を製造元である中国の会社にセールスマンサンプル納期を９月２７日として製造依頼し、少なくとも使用商品２及び４については、展示会用サンプルに衿ネームを取り付けるよう指示していたことが認められる。さらに、使用商品２及び３については、小売店に平成２３年１月２７日に発送したことが認められる。
　そして、各使用商品に係るカーディガン、ジレ、カシュクールは、いずれも本件審判請求に係る指定商品の範ちゅうの商品と認められるものである。
　しかしながら、甲各号証によっては、商標権者が、使用商品２ないし４について、いずれも本件審判請求の登録前３年以内に本件使用商標の使用をしていたとは認められない。
　被請求人は、乙第２号証の７は、本件審判の予告登録後の平成２３年１月２７日の使用に係るものであるが、同日前に、販売店に「Ｃｌｏｖｅｒ」の商標を付した商品見本を提示するなどの営業活動を行い、その結果、「レース衿カーディガン」が、販売に至ったことを証明するために提出するものである旨主張するが、同日前にも同商品の販売に関する営業活動が行われていたであろうと推測できるとしても、その販売活動が本件審判請求の登録前に行われていたとまでは推測できるものではなく、したがって、前記標章の使用が本件審判請求の登録前３年以内に商標権者によりされていたとまでは認められない。なお、商標権者は、２０１０年１０月に展示会「２０１１＼Ｓｐｒｉｎｇ　＆　Ｓｕｍｍｅｒ　Ｃｏｌｌｅｃｔｉｏｎ」を開催されたことは認められるものの、当該展示会に使用商品１ないし４が実際に展示されていたことを具体的に示す証拠は提出されていない。
　（ウ）その他
　商標権者は、前記のとおり、２０１０年１０月にジレ、カシュクール、ボレロ等の展示会を行い、その案内書、案内はがきが作成されたことは認められるが、当該案内書等には、本件商標に係る記載はなく、いずれも本件商標の使用事実を立証するに足らない。
　イ  使用商標と本件商標との同一性について
　使用商標は、「ｃｌｏｖｅｒ　ｇｒｅｅｎ　ｌａｂｅｌ」の欧文字を手書き風のブロック体又は筆記体で同書同大に表し、これらの文字を挟むようにその前後にアステリスクを配した構成よりなるものであるが、本件使用商品を扱う取引分野において「ｇｒｅｅｎ　ｌａｂｅｌ」の文字部分が、使用商品の品質等を直接表示するものではないから、自他商品の識別機能を有しないものとはいえず、使用商標は当該部分も独自の識別性を有すると認められること及び各文字が同書同大に表され、しかも一体的に認識されるように前後にアステリスクが配されていることから、これらの文字は一連一体のものとして認識されるというのが相当である。
　そうすると、使用商標は、本件商標とは構成文字「ｇｒｅｅｎ　ｌａｂｅｌ」の有無の顕著な差異を有するものであるから、本件商標と社会通念上同一と認められる商標とはいえないというのが相当である。
　被請求人は、使用商標は、「クロ（ー）バーの図形」を組み合わせて使用されていることから、「Ｃｌｏｖｅｒ」印と認識されると主張しているが、上記のとおり、使用商標は、一連一体の商標と認識され、かつ、「ｇｒｅｅｎ　ｌａｂｅｌ」の文字部分も独自の識別性を有しているものであって、使用商標より、「ｃｌｏｖｅｒ」の文字部分のみを捕らえ、「Ｃｌｏｖｅｒ」印と認識するとは認められない。
　エ　まとめ
　以上のとおり、本件商標は、本件審判の請求の登録前３年以内に、日本国内において、その指定商品中の取消請求に係る商品について、商標権者による使用はされなかったというべきである。
（３）結論
　以上のとおり、本件商標は、その指定商品のうち「結論掲記の商品」について、本件審判の請求の登録前３年以内に日本国内において、商標権者、専用使用権者及び通常使用権者のいずれによっても、使用をされていないものであり、かつ、使用をされていないことについて正当な理由があることも認められないから、商標法第５０条第１項の規定により、その登録を取り消すべきである。
　よって、結論のとおり審決する。